(57)【要約】【課題】本発明は溶接用の防護マスクを開示した。【解決手段】マスクを含み、前記マスクの中には空きチャンバが設置され、前記空きチャンバの前側にはウィンドウが連通し合うように設置され、前記ウィンドウの中には遮光板が固定的に設置され、前記の上端壁には凹溝が連通し合うように形成されており、前記凹溝の中にはスライド板がスライドできるように設置され、前記スライド板の上端には固定ロッドが固定的に設置され、本発明は構造が簡単で、操作が便利であり、溶接の瞬間に、プッシュブロックを押して黒ガラスが伸縮ばねの作用の下で瞬間に上昇してウィンドウを閉じ、溶接する時に生じた強い光と赤外線と紫外線とを隔て、使用が便利でコストが低い。【選択図】図１
2020189331.tif 000002
【特許請求の範囲】
【請求項１】
正面視で、マスクを含み、前記マスクの中には空きチャンバが設置され、前記空きチャンバの前側にはウィンドウが連通し合うように設置され、前記ウィンドウの中には遮光板が固定的に設置され、前記の上端壁には凹溝が連通し合うように形成されており、前記凹溝の中にはスライド板がスライドできるように設置され、前記スライド板の上端には固定ロッドが固定的に設置され、前記ウィンドウの左右端壁の中には開き溝が連通し合うように形成されており、前記開き溝の中には推し板がスライドできるように設置され、二つの前記推し板と前記スライド板のうち前記ウィンドウに近接している一端とには閉鎖リングが固定的に設置され、前記推し板のもう一つの端面には押しブロックが固定的に設置され、前記ウィンドウには連動装置が左右対称的に設置され、前記連動装置はそれぞれ前記押しブロックと前記固定ロッドと動力を伝達できるように連結し、前記ウィンドウの下側にはスライドチャンバが連通し合うように設置され、前記スライドチャンバの中には上端が前記ウィンドウの中に伸びている黒ガラスがスライドできるように設置され、前記黒ガラスの下端と前記スライドチャンバとの間には左右対称の伸縮ばねが固定的に設置され、前記黒ガラスの下端面にはロックフックが固定的に設置され、前記スライドチャンバの左右壁の中にはガイド溝が連通し合うように形成されており、前記黒ガラスの両端には前記ガイド溝とスライドできるように連結されたガイドブロックが固定的に設置され、前記ガイドブロックの中にはロック溝が形成されており、前記ガイド溝のうち前記スライドチャンバから離れている側には昇降装置が設置され、前記昇降装置が前記ロック溝と引っ掛かるように連結され、前記マスクの下端面にはハンドルが固定的に設置され、前記ハンドルの中には前記スライドチャンバと連通し合っている回転溝が形成されており、前記回転溝の中には前記ロックフックとロックされるように連結されることができる回転フックが回転できるように設置され、前記回転フックと前記回転溝との間には回転ばねが固定的に設置され、前記回転溝の左端壁の中にはプッシュブロックがスライドできるように設置され、前記プッシュブロックの下端面には前記プッシュブロックを復帰させることができる復帰部品が固定的に設置され、前記黒ガラスの昇降は溶接する時の強い光を隔てることができることを特徴とする溶接用の防護マスク。
【請求項２】
前記連動装置は左右対称の推し溝を含み、前記推し溝の中には推しロッドがスライドできるように設置され、前記推し溝のうち互いに近接している側には連通チャンバが連通し合うように設置され、前記連通チャンバの中には回転ロッドが回転できるように設置され、二つの前記連通チャンバの間には前記凹溝と連通し合っているスライド溝が連通し合うように形成されており、前記固定ロッドの上端が前記スライド溝の中に伸びており、且つ前記固定ロッドの上端と前記スライド溝との間には圧縮ばねが固定的に設置され、前記回転ロッドの両端がそれぞれ前記推しロッドと前記固定ロッドと回転できるように連結され、前記推し溝と前記開き溝との間には押し溝が連通し合うように形成されており、前記押しブロックのうち前記ウィンドウから離れている一端が前記押し溝の中に伸びており、且つ前記押しブロックと前記押し溝との間には連結ばねが固定的に設置され、前記押しブロックには貫通溝が形成されており、前記推しロッドの下端が前記貫通溝を通り抜け、前記押し溝の下側と前記ガイド溝との間にはそれぞれ左右対称の連結溝が連通し合うように形成されており、前記連結溝の中には前記推しロッドと当接した連結ブロックがスライドできるように設置され、前記連結ブロックの下端面には前記連結ブロックを復帰させることができる復帰部品が固定的に設置され、前記連結ブロックが移動して前記閉鎖リングに前記ウィンドウを閉鎖させることを特徴とする請求項１に記載の溶接用の防護マスク。
【請求項３】
前記昇降装置は左右対称であり、且つそれぞれ両側の前記ガイド溝と連通し合っている開きチャンバを含み、前記開きチャンバの下端壁には固定ブロックが固定的に設置され、前記開きチャンバの中には回転軸が回転できるように設置され、両側の前記回転軸の間にはベルトによって動力が伝達できるように連結され、左側の前記開きチャンバの下端壁の中にはモーターが固定的に設置され、左側の前記回転軸が前記モーターと動力が伝達できるように連結され、二つの前記回転軸にはネジ山ブロックがネジ山によって連結され、前記ネジ山ブロックの外周にはロックブロックが設置され、前記ロックブロックの中には移動溝が形成されており、前記ネジ山ブロックが前記移動溝とスライドできるように連結され、また前記ネジ山ブロックのうち前記ガイド溝に近接している一端と前記ガイド溝との間にはトーションばねが固定的に設置され、前記移動溝のうち前記ガイド溝から離れている側には連通溝が形成されており、前記ロックブロックが前記ガイドブロックを下降連動させることを特徴とする請求項１に記載の溶接用の防護マスク。
【発明の詳細な説明】
【技術分野】
【０００１】
本発明は労働防護製品技術分野に関わり、具体的には溶接用の防護マスクである。
【背景技術】
【０００２】
既存の手持ち式の溶接用のマスクは、溶接点を正確に探した後、マスクに面部を遮らせ、その過程の中には、溶接をする右手を動かない状態に保持する必要があり、そうしなければ溶接位置が移動することを来し、溶接ミスを犯し、そのほか、溶接の確率を高めるため、手持ちのマスクを使用する時、作業員は溶接点で溶接し、強い光が生じた後にマスクをつけ、この操作は目を傷つける。  
したがって、既存技術の中の手持ちの溶接用のマスクをさらに改善する必要があり、それによって溶接の確度と安全性とを高める。
【先行技術文献】
【特許文献】
【０００３】
【特許文献１】中国特許出願公開第１０６４９１２７２号明細書
【発明の概要】
【発明が解決しようとする課題】
【０００４】
本発明は溶接用の防護マスクを提供し、既存技術にある上記の欠点を解消することを目的とする。
【課題を解決するための手段】
【０００５】
本発明の実施例の溶接用の防護マスクは、マスクを含み、前記マスクの中には空きチャンバが設置され、前記空きチャンバの前側にはウィンドウが連通し合うように設置され、前記ウィンドウの中には遮光板が固定的に設置され、前記の上端壁には凹溝が連通し合うように形成されており、前記凹溝の中にはスライド板がスライドできるように設置され、前記スライド板の上端には固定ロッドが固定的に設置され、前記ウィンドウの左右端壁の中には開き溝が連通し合うように形成されており、前記開き溝の中には推し板がスライドできるように設置され、二つの前記推し板と前記スライド板のうち前記ウィンドウに近接している一端とには閉鎖リングが固定的に設置され、前記推し板のもう一つの端面には押しブロックが固定的に設置され、前記ウィンドウには連動装置が左右対称的に設置され、前記連動装置はそれぞれ前記押しブロックと前記固定ロッドと動力を伝達できるように連結し、前記ウィンドウの下側にはスライドチャンバが連通し合うように設置され、前記スライドチャンバの中には上端が前記ウィンドウの中に伸びている黒ガラスがスライドできるように設置され、前記黒ガラスの下端と前記スライドチャンバとの間には左右対称の伸縮ばねが固定的に設置され、前記黒ガラスの下端面にはロックフックが固定的に設置され、前記スライドチャンバの左右壁の中にはガイド溝が連通し合うように形成されており、前記黒ガラスの両端には前記ガイド溝とスライドできるように連結されたガイドブロックが固定的に設置され、前記ガイドブロックの中にはロック溝が形成されており、前記ガイド溝のうち前記スライドチャンバから離れている側には昇降装置が設置され、前記昇降装置が前記ロック溝と引っ掛かるように連結され、前記マスクの下端面にはハンドルが固定的に設置され、前記ハンドルの中には前記スライドチャンバと連通し合っている回転溝が形成されており、前記回転溝の中には前記ロックフックとロックされるように連結されることができる回転フックが回転できるように設置され、前記回転フックと前記回転溝との間には回転ばねが固定的に設置され、前記回転溝の左端壁の中にはプッシュブロックがスライドできるように設置され、前記プッシュブロックの下端面には前記プッシュブロックを復帰させることができる復帰部品が固定的に設置され、前記黒ガラスの昇降は溶接する時の強い光を隔てることができる。
【０００６】
さらなる技術プランには、前記連動装置は左右対称の推し溝を含み、前記推し溝の中には推しロッドがスライドできるように設置され、前記推し溝のうち互いに近接している側には連通チャンバが連通し合うように設置され、前記連通チャンバの中には回転ロッドが回転できるように設置され、二つの前記連通チャンバの間には前記凹溝と連通し合っているスライド溝が連通し合うように形成されており、前記固定ロッドの上端が前記スライド溝の中に伸びており、且つ前記固定ロッドの上端と前記スライド溝との間には圧縮ばねが固定的に設置され、前記回転ロッドの両端がそれぞれ前記推しロッドと前記固定ロッドと回転できるように連結され、前記推し溝と前記開き溝との間には押し溝が連通し合うように形成されており、前記押しブロックのうち前記ウィンドウから離れている一端が前記押し溝の中に伸びており、且つ前記押しブロックと前記押し溝との間には連結ばねが固定的に設置され、前記押しブロックには貫通溝が形成されており、前記推しロッドの下端が前記貫通溝を通り抜け、前記押し溝の下側と前記ガイド溝との間にはそれぞれ左右対称の連結溝が連通し合うように形成されており、前記連結溝の中には前記推しロッドと当接した連結ブロックがスライドできるように設置され、前記連結ブロックの下端面には前記連結ブロックを復帰させることができる復帰部品が固定的に設置され、前記連結ブロックが移動して前記閉鎖リングに前記ウィンドウを閉鎖させる。
【０００７】
さらなる技術プランには、前記昇降装置は左右対称であり、且つそれぞれ両側の前記ガイド溝と連通し合っている開きチャンバを含み、前記開きチャンバの下端壁には固定ブロックが固定的に設置され、前記開きチャンバの中には回転軸が回転できるように設置され、両側の前記回転軸の間にはベルトによって動力が伝達できるように連結され、左側の前記開きチャンバの下端壁の中にはモーターが固定的に設置され、左側の前記回転軸が前記モーターと動力が伝達できるように連結され、二つの前記回転軸にはネジ山ブロックがネジ山によって連結され、前記ネジ山ブロックの外周にはロックブロックが設置され、前記ロックブロックの中には移動溝が形成されており、前記ネジ山ブロックが前記移動溝とスライドできるように連結され、また前記ネジ山ブロックのうち前記ガイド溝に近接している一端と前記ガイド溝との間にはトーションばねが固定的に設置され、前記移動溝のうち前記ガイド溝から離れている側には連通溝が形成されており、前記ロックブロックが前記ガイドブロックを下降連動させる。
【発明の効果】
【０００８】
本発明の有益な効果は：本発明は構造が簡単で、操作が便利であり、溶接の始まりに溶接点を正確に探す時、黒ガラスがウィンドウを閉鎖することはなく、溶接の瞬間に、プッシュブロックを押して黒ガラスが伸縮ばねの作用の下で瞬間に上昇してウィンドウを閉じ、溶接する時に生じた強い光と赤外線と紫外線とを隔て、使用が便利でコストが低い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の溶接用の防護マスクの内部全体構造略図
【図２】図２は本発明の中の図１の中の「Ａ―Ａ」方向の構造略図
【図３】図３は本発明の中の図１の中の「Ｂ」の拡大構造略図
【図４】図４は本発明の中の図１の中の「Ｃ」の拡大構造略図
【図５】図５は本発明の中の図１の中の「Ｄ」の拡大構造略図
【発明を実施するための形態】
【００１１】
図１〜５を参照し、本発明の実施例の溶接用の防護マスクは、マスク１０を含み、前記マスク１０の中には空きチャンバ１１が設置され、前記空きチャンバ１１の前側にはウィンドウ１３が連通し合うように設置され、前記ウィンドウ１３の中には遮光板１４が固定的に設置され、前記１３の上端壁には凹溝１８が連通し合うように形成されており、前記凹溝１８の中にはスライド板１９がスライドできるように設置され、前記スライド板１９の上端には固定ロッド２２が固定的に設置され、前記ウィンドウ１３の左右端壁の中には開き溝２８が連通し合うように形成されており、前記開き溝２８の中には推し板２９がスライドできるように設置され、二つの前記推し板２９と前記スライド板１９のうち前記ウィンドウ１３に近接している一端とには閉鎖リング２０が固定的に設置され、前記推し板２９のもう一つの端面には押しブロック３１が固定的に設置され、前記ウィンドウ１３には連動装置１００が左右対称的に設置され、前記連動装置１００はそれぞれ前記押しブロック３１と前記固定ロッド２２と動力を伝達できるように連結し、前記ウィンドウ１３の下側にはスライドチャンバ１５が連通し合うように設置され、前記スライドチャンバ１５の中には上端が前記ウィンドウ１３の中に伸びている黒ガラス１６がスライドできるように設置され、前記黒ガラス１６の下端と前記スライドチャンバ１５との間には左右対称の伸縮ばね５５が固定的に設置され、前記黒ガラス１６の下端面にはロックフック１７が固定的に設置され、前記スライドチャンバ１５の左右壁の中にはガイド溝３４が連通し合うように形成されており、前記黒ガラス１６の両端には前記ガイド溝３４とスライドできるように連結されたガイドブロック４０が固定的に設置され、前記ガイドブロック４０の中にはロック溝４１が形成されており、前記ガイド溝３４のうち前記スライドチャンバ１５から離れている側には昇降装置２００が設置され、前記昇降装置２００が前記ロック溝４１と引っ掛かるように連結され、前記マスク１０の下端面にはハンドル１２が固定的に設置され、前記ハンドル１２の中には前記スライドチャンバ１５と連通し合っている回転溝５０が形成されており、前記回転溝５０の中には前記ロックフック１７とロックされるように連結されることができる回転フック５１が回転できるように設置され、前記回転フック５１と前記回転溝５０との間には回転ばね５２が固定的に設置され、前記回転溝５０の左端壁の中にはプッシュブロック５３がスライドできるように設置され、前記プッシュブロック５３の下端面には前記プッシュブロック５３を復帰させることができる復帰部品５４が固定的に設置され、前記黒ガラス１６の昇降は溶接する時の強い光を隔てることができる。
【００１２】
有益なように、前記連動装置１００は左右対称の推し溝２６を含み、前記推し溝２６の中には推しロッド２７がスライドできるように設置され、前記推し溝２６のうち互いに近接している側には連通チャンバ２４が連通し合うように設置され、前記連通チャンバ２４の中には回転ロッド２５が回転できるように設置され、二つの前記連通チャンバ２４の間には前記凹溝１８と連通し合っているスライド溝２１が連通し合うように形成されており、前記固定ロッド２２の上端が前記スライド溝２１の中に伸びており、且つ前記固定ロッド２２の上端と前記スライド溝２１との間には圧縮ばね２３が固定的に設置され、前記回転ロッド２５の両端がそれぞれ前記推しロッド２７と前記固定ロッド２２と回転できるように連結され、前記推し溝２６と前記開き溝２８との間には押し溝３０が連通し合うように形成されており、前記押しブロック３１のうち前記ウィンドウ１３から離れている一端が前記押し溝３０の中に伸びており、且つ前記押しブロック３１と前記押し溝３０との間には連結ばね３２が固定的に設置され、前記押しブロック３１には貫通溝３３が形成されており、前記推しロッド２７の下端が前記貫通溝３３を通り抜け、前記押し溝３０の下側と前記ガイド溝３４との間にはそれぞれ左右対称の連結溝３６が連通し合うように形成されており、前記連結溝３６の中には前記推しロッド２７と当接した連結ブロック３５がスライドできるように設置され、前記連結ブロック３５の下端面には前記連結ブロック３５を復帰させることができる復帰部品３７が固定的に設置され、前記連結ブロック３５が移動して前記閉鎖リング２０に前記ウィンドウ１３を閉鎖させる。
【００１３】
有益なように、前記昇降装置２００は左右対称であり、且つそれぞれ両側の前記ガイド溝３４と連通し合っている開きチャンバ３８を含み、前記開きチャンバ３８の下端壁には固定ブロック４７が固定的に設置され、前記開きチャンバ３８の中には回転軸３９が回転できるように設置され、両側の前記回転軸３９の間にはベルト４９によって動力が伝達できるように連結され、左側の前記開きチャンバ３８の下端壁の中にはモーター４８が固定的に設置され、左側の前記回転軸３９が前記モーター４８と動力が伝達できるように連結され、二つの前記回転軸３９にはネジ山ブロック４４がネジ山によって連結され、前記ネジ山ブロック４４の外周にはロックブロック４２が設置され、前記ロックブロック４２の中には移動溝４３が形成されており、前記ネジ山ブロック４４が前記移動溝４３とスライドできるように連結され、また前記ネジ山ブロック４４のうち前記ガイド溝３４に近接している一端と前記ガイド溝３４との間にはトーションばね４５が固定的に設置され、前記移動溝４３のうち前記ガイド溝３４から離れている側には連通溝４６が形成されており、前記ロックブロック４２が前記ガイドブロック４０を下降連動させる。
【００１４】
初期状態の時、ロックフック１７が回転フック５１とロックされるように連結され、ウィンドウ１３を開け、トーションばね４５と伸縮ばね５５とが圧縮状態にあり、連通溝４６が固定ブロック４７と当接しており、ロックブロック４２がロック溝４１から離脱している。
【００１５】
装置が作動する時、溶接の直前に、手でハンドル１２を持って空きチャンバ１１を面部に向き、また面部が空きチャンバ１１の中に位置しており、溶接点を確定した後、溶接の瞬間に、プッシュブロック５３を右方へ押し、それによって回転フック５１がロックフック１７から離脱し、それによって黒ガラス１６が伸縮ばね５５の作用の下で上昇し、ウィンドウ１３が閉じられ、ガイドブロック４０が連結ブロック３５に圧力をかけて連結ブロック３５を移動させる時、推しロッド２４が上昇し、それによって二つの押しブロック３１が互いに近づいている方向へ移動して推し板２９を推し動かしてウィンドウ１３の方向へ移動させ、この時、回転ロッド２５によって固定ロッド２２が下降し、スライド板１９を推し動かして下方へ移動させ、それによって閉鎖リング２０がウィンドウ１３を閉鎖し、ウィンドウ１３と遮光板１４とによって溶接が生じた強い光と赤外線と紫外線とを隔て、目を保護し、単一の溶接点の溶接が終わった後、モーター４８が作動し、回転軸３９を駆動して回転させ、それによってロックブロック４２が上昇して連通溝４６が固定ブロック４７から離脱し、それによってロックブロック４２がトーションばね４５の作用の下で互いに近づいている方向へ移動し、且つロックブロック４２がガイド溝３４の中に伸びており、ロックブロック４２がガイド溝３４の上側の極限位置に上昇した時にロック溝４１とロックされるように連結され、それによってモーター４８が反転作動し、それによって回転軸３９が反時計回り方向へ回転し、それによってロックブロック４２がガイドブロック４０を下降連動させ、それによって黒ガラス１６が下降してウィンドウ１３を開け、またロックフック１７が回転ばね５２とロックされるように連結され、連通溝４６が固定ブロック４７と当接した時、ロックブロック４２が下降してスライドチャンバ１５から離れている側へ移動し、それによってロックブロック４２がロック溝４１から離脱し、装置が初期状態に戻り、次の溶接の用意をする。
【００１６】
本発明の有益な効果は：本発明は構造が簡単で、操作が便利であり、溶接の始まりに溶接点を正確に探す時、黒ガラスがウィンドウを閉鎖することはなく、溶接の瞬間に、プッシュブロックを押して黒ガラスが伸縮ばねの作用の下で瞬間に上昇してウィンドウを閉じ、溶接する時に生じた強い光と赤外線と紫外線とを隔て、使用が便利でコストが低い。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020189331.tif 000003
【図２】
2020189331.tif 000004
【図３】
2020189331.tif 000005
【図４】
2020189331.tif 000006
【図５】
2020189331.tif 000007
【手続補正書】
【提出日】令和1年10月30日(2019.10.30)
【手続補正１】
【補正対象書類名】特許請求の範囲
【補正対象項目名】請求項１
【補正方法】変更
【補正の内容】
【請求項１】
正面視で、マスクを含み、前記マスクの中には空きチャンバが設置され、前記空きチャンバの前側にはウィンドウが連通し合うように設置され、前記ウィンドウの中には遮光板が固定的に設置され、前記ウィンドウの上端壁には凹溝が連通し合うように形成されており、前記凹溝の中にはスライド板がスライドできるように設置され、前記スライド板の上端には固定ロッドが固定的に設置され、前記ウィンドウの左右端壁の中には開き溝が連通し合うように形成されており、前記開き溝の中には推し板がスライドできるように設置され、二つの前記推し板と前記スライド板のうち前記ウィンドウに近接している一端とには閉鎖リングが固定的に設置され、前記推し板のもう一つの端面には押しブロックが固定的に設置され、前記ウィンドウには連動装置が左右対称的に設置され、前記連動装置はそれぞれ前記押しブロックと前記固定ロッドと動力を伝達できるように連結し、前記ウィンドウの下側にはスライドチャンバが連通し合うように設置され、前記スライドチャンバの中には上端が前記ウィンドウの中に伸びている黒ガラスがスライドできるように設置され、前記黒ガラスの下端と前記スライドチャンバとの間には左右対称の伸縮ばねが固定的に設置され、前記黒ガラスの下端面にはロックフックが固定的に設置され、前記スライドチャンバの左右壁の中にはガイド溝が連通し合うように形成されており、前記黒ガラスの両端には前記ガイド溝とスライドできるように連結されたガイドブロックが固定的に設置され、前記ガイドブロックの中にはロック溝が形成されており、前記ガイド溝のうち前記スライドチャンバから離れている側には昇降装置が設置され、前記昇降装置が前記ロック溝と引っ掛かるように連結され、前記マスクの下端面にはハンドルが固定的に設置され、前記ハンドルの中には前記スライドチャンバと連通し合っている回転溝が形成されており、前記回転溝の中には前記ロックフックとロックされるように連結されることができる回転フックが回転できるように設置され、前記回転フックと前記回転溝との間には回転ばねが固定的に設置され、前記回転溝の左端壁の中にはプッシュブロックがスライドできるように設置され、前記プッシュブロックの下端面には前記プッシュブロックを復帰させることができる復帰部品が固定的に設置され、前記黒ガラスの昇降は溶接する時の強い光を隔てることができることを特徴とする溶接用の防護マスク。
【手続補正２】
【補正対象書類名】明細書
【補正対象項目名】全文
【補正方法】変更
【補正の内容】
【発明の詳細な説明】
【技術分野】
【０００１】
本発明は労働防護製品技術分野に関わり、具体的には溶接用の防護マスクである。
【背景技術】
【０００２】
既存の手持ち式の溶接用のマスクは、溶接点を正確に探した後、マスクに面部を遮らせ、その過程の中には、溶接をする右手を動かない状態に保持する必要があり、そうしなければ溶接位置が移動することを来し、溶接ミスを犯し、そのほか、溶接の確率を高めるため、手持ちのマスクを使用する時、作業員は溶接点で溶接し、強い光が生じた後にマスクをつけ、この操作は目を傷つける。  
したがって、既存技術の中の手持ちの溶接用のマスクをさらに改善する必要があり、それによって溶接の確度と安全性とを高める。
【先行技術文献】
【特許文献】
【０００３】
【特許文献１】中国特許出願公開第１０６４９１２７２号明細書
【発明の概要】
【発明が解決しようとする課題】
【０００４】
本発明は溶接用の防護マスクを提供し、既存技術にある上記の欠点を解消することを目的とする。
【課題を解決するための手段】
【０００５】
本発明の実施例の溶接用の防護マスクは、マスクを含み、前記マスクの中には空きチャンバが設置され、前記空きチャンバの前側にはウィンドウが連通し合うように設置され、前記ウィンドウの中には遮光板が固定的に設置され、前記ウィンドウの上端壁には凹溝が連通し合うように形成されており、前記凹溝の中にはスライド板がスライドできるように設置され、前記スライド板の上端には固定ロッドが固定的に設置され、前記ウィンドウの左右端壁の中には開き溝が連通し合うように形成されており、前記開き溝の中には推し板がスライドできるように設置され、二つの前記推し板と前記スライド板のうち前記ウィンドウに近接している一端とには閉鎖リングが固定的に設置され、前記推し板のもう一つの端面には押しブロックが固定的に設置され、前記ウィンドウには連動装置が左右対称的に設置され、前記連動装置はそれぞれ前記押しブロックと前記固定ロッドと動力を伝達できるように連結し、前記ウィンドウの下側にはスライドチャンバが連通し合うように設置され、前記スライドチャンバの中には上端が前記ウィンドウの中に伸びている黒ガラスがスライドできるように設置され、前記黒ガラスの下端と前記スライドチャンバとの間には左右対称の伸縮ばねが固定的に設置され、前記黒ガラスの下端面にはロックフックが固定的に設置され、前記スライドチャンバの左右壁の中にはガイド溝が連通し合うように形成されており、前記黒ガラスの両端には前記ガイド溝とスライドできるように連結されたガイドブロックが固定的に設置され、前記ガイドブロックの中にはロック溝が形成されており、前記ガイド溝のうち前記スライドチャンバから離れている側には昇降装置が設置され、前記昇降装置が前記ロック溝と引っ掛かるように連結され、前記マスクの下端面にはハンドルが固定的に設置され、前記ハンドルの中には前記スライドチャンバと連通し合っている回転溝が形成されており、前記回転溝の中には前記ロックフックとロックされるように連結されることができる回転フックが回転できるように設置され、前記回転フックと前記回転溝との間には回転ばねが固定的に設置され、前記回転溝の左端壁の中にはプッシュブロックがスライドできるように設置され、前記プッシュブロックの下端面には前記プッシュブロックを復帰させることができる復帰部品が固定的に設置され、前記黒ガラスの昇降は溶接する時の強い光を隔てることができる。
【０００６】
さらなる技術プランには、前記連動装置は左右対称の推し溝を含み、前記推し溝の中には推しロッドがスライドできるように設置され、前記推し溝のうち互いに近接している側には連通チャンバが連通し合うように設置され、前記連通チャンバの中には回転ロッドが回転できるように設置され、二つの前記連通チャンバの間には前記凹溝と連通し合っているスライド溝が連通し合うように形成されており、前記固定ロッドの上端が前記スライド溝の中に伸びており、且つ前記固定ロッドの上端と前記スライド溝との間には圧縮ばねが固定的に設置され、前記回転ロッドの両端がそれぞれ前記推しロッドと前記固定ロッドと回転できるように連結され、前記推し溝と前記開き溝との間には押し溝が連通し合うように形成されており、前記押しブロックのうち前記ウィンドウから離れている一端が前記押し溝の中に伸びており、且つ前記押しブロックと前記押し溝との間には連結ばねが固定的に設置され、前記押しブロックには貫通溝が形成されており、前記推しロッドの下端が前記貫通溝を通り抜け、前記押し溝の下側と前記ガイド溝との間にはそれぞれ左右対称の連結溝が連通し合うように形成されており、前記連結溝の中には前記推しロッドと当接した連結ブロックがスライドできるように設置され、前記連結ブロックの下端面には前記連結ブロックを復帰させることができる復帰部品が固定的に設置され、前記連結ブロックが移動して前記閉鎖リングに前記ウィンドウを閉鎖させる。
【０００７】
さらなる技術プランには、前記昇降装置は左右対称であり、且つそれぞれ両側の前記ガイド溝と連通し合っている開きチャンバを含み、前記開きチャンバの下端壁には固定ブロックが固定的に設置され、前記開きチャンバの中には回転軸が回転できるように設置され、両側の前記回転軸の間にはベルトによって動力が伝達できるように連結され、左側の前記開きチャンバの下端壁の中にはモーターが固定的に設置され、左側の前記回転軸が前記モーターと動力が伝達できるように連結され、二つの前記回転軸にはネジ山ブロックがネジ山によって連結され、前記ネジ山ブロックの外周にはロックブロックが設置され、前記ロックブロックの中には移動溝が形成されており、前記ネジ山ブロックが前記移動溝とスライドできるように連結され、また前記ネジ山ブロックのうち前記ガイド溝に近接している一端と前記ガイド溝との間にはトーションばねが固定的に設置され、前記移動溝のうち前記ガイド溝から離れている側には連通溝が形成されており、前記ロックブロックが前記ガイドブロックを下降連動させる。
【発明の効果】
【０００８】
本発明の有益な効果は：本発明は構造が簡単で、操作が便利であり、溶接の始まりに溶接点を正確に探す時、黒ガラスがウィンドウを閉鎖することはなく、溶接の瞬間に、プッシュブロックを押して黒ガラスが伸縮ばねの作用の下で瞬間に上昇してウィンドウを閉じ、溶接する時に生じた強い光と赤外線と紫外線とを隔て、使用が便利でコストが低い。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の溶接用の防護マスクの内部全体構造略図
【図２】図２は本発明の中の図１の中の「Ａ―Ａ」方向の構造略図
【図３】図３は本発明の中の図１の中の「Ｂ」の拡大構造略図
【図４】図４は本発明の中の図１の中の「Ｃ」の拡大構造略図
【図５】図５は本発明の中の図１の中の「Ｄ」の拡大構造略図
【発明を実施するための形態】
【００１１】
図１〜５を参照し、本発明の実施例の溶接用の防護マスクは、マスク１０を含み、前記マスク１０の中には空きチャンバ１１が設置され、前記空きチャンバ１１の前側にはウィンドウ１３が連通し合うように設置され、前記ウィンドウ１３の中には遮光板１４が固定的に設置され、前記ウィンドウ１３の上端壁には凹溝１８が連通し合うように形成されており、前記凹溝１８の中にはスライド板１９がスライドできるように設置され、前記スライド板１９の上端には固定ロッド２２が固定的に設置され、前記ウィンドウ１３の左右端壁の中には開き溝２８が連通し合うように形成されており、前記開き溝２８の中には推し板２９がスライドできるように設置され、二つの前記推し板２９と前記スライド板１９のうち前記ウィンドウ１３に近接している一端とには閉鎖リング２０が固定的に設置され、前記推し板２９のもう一つの端面には押しブロック３１が固定的に設置され、前記ウィンドウ１３には連動装置１００が左右対称的に設置され、前記連動装置１００はそれぞれ前記押しブロック３１と前記固定ロッド２２と動力を伝達できるように連結し、前記ウィンドウ１３の下側にはスライドチャンバ１５が連通し合うように設置され、前記スライドチャンバ１５の中には上端が前記ウィンドウ１３の中に伸びている黒ガラス１６がスライドできるように設置され、前記黒ガラス１６の下端と前記スライドチャンバ１５との間には左右対称の伸縮ばね５５が固定的に設置され、前記黒ガラス１６の下端面にはロックフック１７が固定的に設置され、前記スライドチャンバ１５の左右壁の中にはガイド溝３４が連通し合うように形成されており、前記黒ガラス１６の両端には前記ガイド溝３４とスライドできるように連結されたガイドブロック４０が固定的に設置され、前記ガイドブロック４０の中にはロック溝４１が形成されており、前記ガイド溝３４のうち前記スライドチャンバ１５から離れている側には昇降装置２００が設置され、前記昇降装置２００が前記ロック溝４１と引っ掛かるように連結され、前記マスク１０の下端面にはハンドル１２が固定的に設置され、前記ハンドル１２の中には前記スライドチャンバ１５と連通し合っている回転溝５０が形成されており、前記回転溝５０の中には前記ロックフック１７とロックされるように連結されることができる回転フック５１が回転できるように設置され、前記回転フック５１と前記回転溝５０との間には回転ばね５２が固定的に設置され、前記回転溝５０の左端壁の中にはプッシュブロック５３がスライドできるように設置され、前記プッシュブロック５３の下端面には前記プッシュブロック５３を復帰させることができる復帰部品５４が固定的に設置され、前記黒ガラス１６の昇降は溶接する時の強い光を隔てることができる。
【００１２】
有益なように、前記連動装置１００は左右対称の推し溝２６を含み、前記推し溝２６の中には推しロッド２７がスライドできるように設置され、前記推し溝２６のうち互いに近接している側には連通チャンバ２４が連通し合うように設置され、前記連通チャンバ２４の中には回転ロッド２５が回転できるように設置され、二つの前記連通チャンバ２４の間には前記凹溝１８と連通し合っているスライド溝２１が連通し合うように形成されており、前記固定ロッド２２の上端が前記スライド溝２１の中に伸びており、且つ前記固定ロッド２２の上端と前記スライド溝２１との間には圧縮ばね２３が固定的に設置され、前記回転ロッド２５の両端がそれぞれ前記推しロッド２７と前記固定ロッド２２と回転できるように連結され、前記推し溝２６と前記開き溝２８との間には押し溝３０が連通し合うように形成されており、前記押しブロック３１のうち前記ウィンドウ１３から離れている一端が前記押し溝３０の中に伸びており、且つ前記押しブロック３１と前記押し溝３０との間には連結ばね３２が固定的に設置され、前記押しブロック３１には貫通溝３３が形成されており、前記推しロッド２７の下端が前記貫通溝３３を通り抜け、前記押し溝３０の下側と前記ガイド溝３４との間にはそれぞれ左右対称の連結溝３６が連通し合うように形成されており、前記連結溝３６の中には前記推しロッド２７と当接した連結ブロック３５がスライドできるように設置され、前記連結ブロック３５の下端面には前記連結ブロック３５を復帰させることができる復帰部品３７が固定的に設置され、前記連結ブロック３５が移動して前記閉鎖リング２０に前記ウィンドウ１３を閉鎖させる。
【００１３】
有益なように、前記昇降装置２００は左右対称であり、且つそれぞれ両側の前記ガイド溝３４と連通し合っている開きチャンバ３８を含み、前記開きチャンバ３８の下端壁には固定ブロック４７が固定的に設置され、前記開きチャンバ３８の中には回転軸３９が回転できるように設置され、両側の前記回転軸３９の間にはベルト４９によって動力が伝達できるように連結され、左側の前記開きチャンバ３８の下端壁の中にはモーター４８が固定的に設置され、左側の前記回転軸３９が前記モーター４８と動力が伝達できるように連結され、二つの前記回転軸３９にはネジ山ブロック４４がネジ山によって連結され、前記ネジ山ブロック４４の外周にはロックブロック４２が設置され、前記ロックブロック４２の中には移動溝４３が形成されており、前記ネジ山ブロック４４が前記移動溝４３とスライドできるように連結され、また前記ネジ山ブロック４４のうち前記ガイド溝３４に近接している一端と前記ガイド溝３４との間にはトーションばね４５が固定的に設置され、前記移動溝４３のうち前記ガイド溝３４から離れている側には連通溝４６が形成されており、前記ロックブロック４２が前記ガイドブロック４０を下降連動させる。
【００１４】
初期状態の時、ロックフック１７が回転フック５１とロックされるように連結され、ウィンドウ１３を開け、トーションばね４５と伸縮ばね５５とが圧縮状態にあり、連通溝４６が固定ブロック４７と当接しており、ロックブロック４２がロック溝４１から離脱している。
【００１５】
装置が作動する時、溶接の直前に、手でハンドル１２を持って空きチャンバ１１を面部に向き、また面部が空きチャンバ１１の中に位置しており、溶接点を確定した後、溶接の瞬間に、プッシュブロック５３を右方へ押し、それによって回転フック５１がロックフック１７から離脱し、それによって黒ガラス１６が伸縮ばね５５の作用の下で上昇し、ウィンドウ１３が閉じられ、ガイドブロック４０が連結ブロック３５に圧力をかけて連結ブロック３５を移動させる時、推しロッド２４が上昇し、それによって二つの押しブロック３１が互いに近づいている方向へ移動して推し板２９を推し動かしてウィンドウ１３の方向へ移動させ、この時、回転ロッド２５によって固定ロッド２２が下降し、スライド板１９を推し動かして下方へ移動させ、それによって閉鎖リング２０がウィンドウ１３を閉鎖し、ウィンドウ１３と遮光板１４とによって溶接が生じた強い光と赤外線と紫外線とを隔て、目を保護し、単一の溶接点の溶接が終わった後、モーター４８が作動し、回転軸３９を駆動して回転させ、それによってロックブロック４２が上昇して連通溝４６が固定ブロック４７から離脱し、それによってロックブロック４２がトーションばね４５の作用の下で互いに近づいている方向へ移動し、且つロックブロック４２がガイド溝３４の中に伸びており、ロックブロック４２がガイド溝３４の上側の極限位置に上昇した時にロック溝４１とロックされるように連結され、それによってモーター４８が反転作動し、それによって回転軸３９が反時計回り方向へ回転し、それによってロックブロック４２がガイドブロック４０を下降連動させ、それによって黒ガラス１６が下降してウィンドウ１３を開け、またロックフック１７が回転ばね５２とロックされるように連結され、連通溝４６が固定ブロック４７と当接した時、ロックブロック４２が下降してスライドチャンバ１５から離れている側へ移動し、それによってロックブロック４２がロック溝４１から離脱し、装置が初期状態に戻り、次の溶接の用意をする。
【００１６】
本発明の有益な効果は：本発明は構造が簡単で、操作が便利であり、溶接の始まりに溶接点を正確に探す時、黒ガラスがウィンドウを閉鎖することはなく、溶接の瞬間に、プッシュブロックを押して黒ガラスが伸縮ばねの作用の下で瞬間に上昇してウィンドウを閉じ、溶接する時に生じた強い光と赤外線と紫外線とを隔て、使用が便利でコストが低い。
【００１７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。